(57)【要約】【課題】ＰＥＴ−ＣＴ装置ではＰＥＴ用ガントリとＸ線ＣＴ用ガントリを並べ一つのベッドを共通に使用できる配置になっているが、両ガントリの間の空間は極めて少ないため両ガントリの互いに対面する部分についてはメンテナンス作業を行うことが困難である。そのためクレーン等を持ち込んでベッドを移動させた後Ｘ線ＣＴ用ガントリを移動させなければならない。【解決手段】メンテナンスのために移動が必要なとき、ベッド１に取り付けられたハンドル７、ネジ棒８、キャスタ９および取付金具１１によって構成されるジャッキ機構付キャスタ１２のハンドル７を回してキャスタ９を床に接触するまで下降させた後、さらにハンドル７を回してベッド１を床から離してキャスタ９により移動させ、Ｘ線ＣＴ用ガントリ２を移動させるスペースを確保する。【選択図】          図１
2006304860.tif 000002
【特許請求の範囲】
【請求項１】
ＰＥＴ用ガントリとＸ線ＣＴ用ガントリとベッドを並べて配置し、前記ベッドを前記二つのガントリにより共用するＰＥＴ−ＣＴ装置において、通常の使用時にはキャスタを床に接触しない高さまで上昇させて前記ベッドを床に設置し、移動時にはキャスタを下降させて床に接触させた後前記ベッドを上昇させるジャッキ機構を具備するキャスタを前記ベッドに取り付けたことを特徴とするＰＥＴ−ＣＴ装置。
【請求項２】
ＰＥＴ用ガントリとＸ線ＣＴ用ガントリとベッドを並べて配置し、前記ベッドを前記二つのガントリにより共用するＰＥＴ−ＣＴ装置のベッドの移動方法であって、前記ベッドにジャッキ機構を具備するキャスタを取り付け、前記ジャッキ機構により前記キャスタを下降させて床に接触させ前記ベッドを上昇させる工程と前記キャスタにより前記ベッドを移動させる工程とからなることを特徴とするＰＥＴ−ＣＴ装置のベッドの移動方法。
【発明の詳細な説明】
【技術分野】
【０００１】
ＰＥＴ装置とＸ線ＣＴ装置のガントリを並べて一つのベッドを共通に使用するＰＥＴ−ＣＴ装置に関する。
【背景技術】
【０００２】
ＰＥＴ装置ではポジトロン放出性核種の放射性物質を投与された被検者の周囲に多数の検出器をリング型に配置し、それらの二つに同時に放射線が入射したことを捕らえてその二つの検出器の位置に関して計数し、その計数データを演算処理することにより被写体の断層像を得ることができる。ただしこのように体内の放射性物質から放射される放射線を体外で検出してデータを収集する場合、その放射線が体外に出てくるまでの間に体内で吸収されることがある。この吸収を補正して正確な断層像を得るために、Ｘ線ＣＴ装置を用いて上記の断層像と同一の断層面についてＸ線吸収係数の分布データを得て、このデータによってＰＥＴ装置による断層像の補正を行う方法がある。そのためにはＰＥＴ装置とＸ線ＣＴ装置で同一の面の断層像を得る必要があるので、例えば図４に示すようにＰＥＴ用ガントリ３とＸ線ＣＴ用ガントリ２を並べてベッド１を共通に使用できる配置にし、このベッド１の上に被検者（図示しない）をのせてベッド１の天板を両ガントリ内に移動させることにより被検者の同じ断層面についてＰＥＴデータとＸ線ＣＴデータを収集する（たとえば特許文献１参照）。
【特許文献１】特開平７−２０２４５号公報
【発明の開示】
【発明が解決しようとする課題】
【０００３】
ＰＥＴ−ＣＴ装置では上記のような理由で、図４に示すようにＰＥＴ用ガントリ３とＸ線ＣＴ用ガントリ２を並べてベッド１を共通に使用できる配置になっている。しかしながらこの場合ＰＥＴ用ガントリ３とＸ線ＣＴ用ガントリ２は密着して設置されるため、両ガントリの互いに対面する部分についてはメンテナンス作業を行うためにサービスマン等が立ち入るスペースがない。そのためメンテナンス作業時にはＸ線ＣＴ用ガントリ２を床に固定しているボルト（図示しない）を取り外し、底部に取り付けられたキャスタ１０によって案内レール４の上をベッド１側に移動できる構成になっているが、Ｘ線ＣＴ用ガントリ２とベッド１の間にもスペースがほとんどないため、まずベッド１を移動させなければならない。そのためにベッド１を床に固定しているボルト（図示しない）を取り外しても、その重量が大きいため容易に移動させることができない。従って通常図３に示すようにクレーン５等によりベッド１を吊り上げ、底部に移動のためのキャスタ６を取り付ける方法がとられるが、装置が設置されている部屋が狭い場合等クレーン５等を使用できないことがある。この問題を解消するためにベッド１の底部にキャスタ６を常時取り付けておくと、ベッド１の床への固定が不安定になり被検者に対して危険である。本発明は上記の課題を解決することを目的とする。
【課題を解決するための手段】
【０００４】
請求項１記載の発明は上記の目的を達成するために、ＰＥＴ用ガントリとＸ線ＣＴ用ガントリとベッドを並べて配置し、前記ベッドを前記二つのガントリが共用するＰＥＴ−ＣＴ装置において、通常の使用時にはキャスタを床に接触しない高さまで上昇させて前記ベッドを床に設置し、移動時にはキャスタを下降させて床に接触させた後前記ベッドを上昇させるジャッキ機構を具備するキャスタを前記ベッドに取り付けたＰＥＴ−ＣＴ装置を提供する。
【０００５】
請求項２記載の発明は上記の目的を達成するために、ＰＥＴ用ガントリとＸ線ＣＴ用ガントリとベッドを並べて配置し、前記ベッドを前記二つのガントリにより共用するＰＥＴ−ＣＴ装置のベッドの移動方法であって、前記ベッドにジャッキ機構を具備するキャスタを取り付け、前記ジャッキ機構により前記キャスタを下降させて床に接触させ前記ベッドを上昇させる工程と前記キャスタにより前記ベッドを移動させる工程とからなるＰＥＴ−ＣＴ装置のベッドの移動方法を提供する。
【発明の効果】
【０００６】
本発明により、通常の使用時にはベッドを強固な構造物で床に固定して被検者の安全を確保できるとともに、メンテナンス時にベッドにキャスタを取り付けるためにクレーン等を必要としないので、クレーン等を必要とする場合に比べて緊急のメンテナンスに対応するのが容易になり、かつメンテナンスの費用も安価になる。また狭い部屋に設置してもメンテナンス可能である。
【発明を実施するための最良の形態】
【０００７】
以下本発明の実施例を図１および図２を用いて説明する。図１に示すようにＰＥＴ用ガントリ３とＸ線ＣＴ用ガントリ２はほぼ隙間なく並べられて一つのベッド１を共通に使用できる配置になっており、ベッド１には後述するジャッキ機構付キャスタ１２が底板の四隅に取り付けられているが、検査等通常の使用時にはキャスタ９は図１に示すように床に接触しない高さまで上昇し、ベッド１は底板がボルト（図示しない）で床に固定されている。
【０００８】
Ｘ線ＣＴ用ガントリ２は床に敷設された案内レール４の上をベッド１の方向に移動するためのキャスタ１０を備えているが、通常は床にボルト（図示しない）で固定されている。またＸ線ＣＴ用ガントリ２の案内レール４の上の移動はベッド１によっても制限されている。一方ＰＥＴ用ガントリ３は床に固定されている。
【０００９】
ジャッキ機構付キャスタ１２はハンドル７、ネジ棒８、キャスタ９および取付金具１１により構成され、ネジ部が取付金具１１のネジ穴と螺合した状態で取付金具１１によってベッド１の底板に取り付けられたネジ棒８の上端にネジ棒８を回すためのハンドル７が取り付けられ、下端にスラスト軸受（図示しない）を介してキャスタ９が取り付けられている。このような構成によりハンドル７を回すとネジ棒８が上または下方向に移動し、キャスタ９を昇降させることができるので、ベッド１の底板の四隅に取り付けられた各ジャッキ機構付キャスタ１２について、キャスタ９を下降させ床に接触させた後ハンドル７をさらに同じ向きに回し続けることにより図２に示すようにベッド１の底面を床から離すことができる。
【００１０】
メンテナンス作業時等にＰＥＴ用ガントリ３とＸ線ＣＴ用ガントリ２の間に作業のためのスペースが必要になったときはまずベッド１を床に固定しているボルト（図示しない）を取り外し、ハンドル７を回してジャッキ機構付キャスタ１２を作動させてベッド１の底面を床から離した後キャスタ９によって移動させ、Ｘ線ＣＴ用ガントリ２を移動させるスペースを確保する。
【００１１】
次にＸ線ＣＴ用ガントリ２を床に固定しているボルトを取り外し、案内レール４の上をベッド１の方向に移動させて、Ｘ線ＣＴ用ガントリ２とＰＥＴ用ガントリ３の間に作業に必要なスペースを得る。
【００１２】
作業終了後はＸ線ＣＴ用ガントリ２を案内レール４の上で元の位置に移動させ床にボルトで固定する。その後ベッド１を元の位置まで移動させ、ハンドル７を前回と逆方向に回してベッド１を床に下ろしボルトで固定する。
【００１３】
上記の実施例でジャッキ機構付キャスタ１２を常時ベッド１に取り付けておき、通常の使用時にはキャスタ９を床に接触しない高さまで上昇させ（図１）、移動時にはジャッキ機構付キャスタ１２によりベッド１の底面を床から離してキャスタ９が床に接触するようにしている（図２）が、ジャッキ機構付キャスタ１２は通常の使用時には取り外して別の場所に保管しておき、移動時にのみベッド１に取り付けるようにしてもよい。
【００１４】
上記の実施例でジャッキ機構はネジ棒式であったが、油圧式やパンタグラフ式であってもよい。またジャッキ機構の駆動方式は手動でも動力を利用したものでもよい。
【００１５】
上記の実施例ではベッド１、Ｘ線ＣＴ用ガントリ２、ＰＥＴ用ガントリ３の順に配置されているがベッド１、ＰＥＴ用ガントリ３、Ｘ線ＣＴ用ガントリ２の順に配置されていてもよい。この場合ＰＥＴ用ガントリ３がベッド１の方向に移動できるように敷設された案内レール４の上に載置される。
【産業上の利用可能性】
【００１６】
ＰＥＴ装置とＸ線ＣＴ装置のガントリを並べて一つのベッドを共通に使用するＰＥＴ−ＣＴ装置に関する。
【図面の簡単な説明】
【００１７】
【図１】本発明の実施例を説明するための図である。
【図２】本発明の実施例を説明するための図である。
【図３】解決すべき課題を説明するための図である。
【図４】背景技術を説明するための図である。
【符号の説明】
【００１８】
１：ベッド
２：Ｘ線ＣＴ用ガントリ
３：ＰＥＴ用ガントリ
４：案内レール
５：クレーン
６：キャスタ
７：ハンドル
８：ネジ棒
９：キャスタ
１０：キャスタ
１１：取付金具
１２：ジャッキ機構付キャスタ
【図１】
2006304860.tif 000003
【図２】
2006304860.tif 000004
【図３】
2006304860.tif 000005
【図４】
2006304860.tif 000006